(57)【要約】【課題】植物の種類や植物の成育状況に応じて植物に照射する光量子束密度を最適化しうる植物栽培装置を提供する。【解決手段】植物栽培装置は、植物が植えられた栽培槽を載せる載置部２と、載置部２の上方に配置されかつ載置部２に載せられる栽培槽の植物の生育に必要な光量子束密度を発するＬＥＤパッケージ12のみを使用したＬＥＤ照明装置とを備えている。植物栽培装置は、載置部２の上方でかつ栽培槽に植えられた植物の根と葉との間の高さ位置に、平面から見て方形の栽培領域５を有する。栽培領域５の左右両側辺5aの長さをＬとすると、左右両側辺5aの前後両端から０．３×Ｌの長さ部分に位置する点PA,PBどうしを結んだ直線6,8と、前後両側辺5b,5cとの間に形成される帯状部分7,9の上方に、それぞれＬＥＤ照明装置の全ＬＥＤパッケージ12の３０％以上の数のＬＥＤパッケージ12を配置する。【選択図】図２
2014027922.tif 000002
【特許請求の範囲】
【請求項１】
植物が植えられた栽培槽を載せる複数の載置部と、載置部の上方に間隔をおいて配置され、かつ載置部に載せられる栽培槽の植物の生育に必要な光量子束密度を発するＬＥＤパッケージのみを使用したＬＥＤ照明装置とを備えており、
載置部の上方で、かつ載置部に載せられる栽培槽に植えられた植物の根と葉との間の高さ位置に栽培領域を有し、植物が、栽培領域の下側に根が広がるとともに、同上側に葉が存在するように配置され、
栽培領域の周縁の各点と中心とを結ぶ直線の長さをＬとし、前記直線において周縁から０．３×Ｌの長さ部分に位置する点を結んだ線と、前記周縁との間に形成される帯状部分の少なくとも一部分の上方に位置するように、ＬＥＤ照明装置の全ＬＥＤパッケージの６０％以上の数のＬＥＤパッケージが配置されている植物栽培装置。
【請求項２】
栽培領域が平面から見て方形であり、互いに平行な２つの辺の長さをＬとし、前記２つの辺の長さ方向一端から０．３×Ｌの長さ部分に位置する点どうしを結んだ直線と、前記２つの辺の長さ方向一端どうしを結ぶ辺との間に形成される帯状部分の上方、および前記２つの辺の長さ方向他端から０．３×Ｌの長さ部分に位置する点どうしを結んだ直線と、前記２つの辺の長さ方向他端どうしを結ぶ辺との間に形成される帯状部分の上方に、それぞれＬＥＤ照明装置の全ＬＥＤパッケージの３０％以上の数のＬＥＤパッケージが配置されている請求項１記載の植物栽培装置。
【請求項３】
前記２つの帯状部分のうち一方の帯状部分の上方に配置されているＬＥＤパッケージの数と、同他方の帯状部分の上方に配置されているＬＥＤパッケージの数との合計が、ＬＥＤ照明装置の全ＬＥＤパッケージ数の１００％となっている請求項２記載の植物栽培装置。
【請求項４】
前記２つの帯状部分のうち一方の帯状部分の上方に配置されているＬＥＤパッケージの数と、同他方の帯状部分の上方に配置されているＬＥＤパッケージの数とが等しくなっている請求項２または３記載の植物栽培装置。
【請求項５】
前記帯状部分の長さ方向にのびる１つの直線上に、複数のＬＥＤパッケージが間隔をおいて並べられることによりパッケージ列が構成され、前記２つの帯状部分の上方に、複数のパッケージ列が帯状部分の幅方向に間隔おいて配置されている請求項２〜４のうちのいずれかに記載の植物栽培装置。
【請求項６】
前記パッケージ列における帯状部分の長さ方向両端に配置されるＬＥＤパッケージの光が、前記栽培領域における帯状部分の長さ方向両端に届くようになっている請求項５記載の植物栽培装置。
【発明の詳細な説明】
【技術分野】
【０００１】
この発明は、ＬＥＤチップが実装されたＬＥＤパッケージのみを光源として使用し、かつたとえば植物工場、野菜工場、育苗装置などで用いられる植物栽培装置に関する。
【０００２】
この明細書および特許請求の範囲において、図１の上下を上下というものとする。
【背景技術】
【０００３】
人工光を光源とした植物栽培装置として、植物が植えられた栽培槽を載せる載置部を有する栽培ラックと、載置部の上方に間隔をおいて配置された照明装置とを備えており、照明装置が、平行に並べられた複数の直管型外部電極蛍光ランプと、隣り合う外部電極蛍光ランプ間に外部電極蛍光ランプの長さ方向に間隔をおいて配置された複数のＬＥＤパッケージとを備えており、外部電極蛍光ランプの並び方向の内側よりも外側の方が、隣り合う外部電極蛍光ランプ間の間隔が密となされている照明装置が知られている（特許文献１参照）。
【０００４】
しかしながら、特許文献１記載の照明装置によれば、複数の外部電極蛍光ランプが用いられているので、消費電力コストが高くなる。また、外部電極蛍光ランプとＬＥＤとでは寿命が異なって、外部電極蛍光ランプの寿命がＬＥＤに比べて短くなるので、メンテナンス性が低くなる。
【先行技術文献】
【特許文献】
【０００５】
【特許文献１】特開２００６−３２０３１４号公報
【発明の概要】
【発明が解決しようとする課題】
【０００６】
この発明の目的は、上記問題を解決し、植物の種類や植物の成育状況に応じて植物に照射する光量子束密度を最適化することができ、かつ消費電力コストを低減しうるとともにメンテナンス性を向上しうる照明装置を備えた植物栽培装置を提供することにある。
【課題を解決するための手段】
【０００７】
本発明は、上記目的を達成するために以下の態様からなる。
【０００８】
1)植物が植えられた栽培槽を載せる複数の載置部と、載置部の上方に間隔をおいて配置され、かつ載置部に載せられる栽培槽の植物の生育に必要な光量子束密度を発するＬＥＤパッケージのみを使用したＬＥＤ照明装置とを備えており、
載置部の上方で、かつ載置部に載せられる栽培槽に植えられた植物の根と葉との間の高さ位置に栽培領域を有し、植物が、栽培領域の下側に根が広がるとともに、同上側に葉が存在するように配置され、
栽培領域の周縁の各点と中心とを結ぶ直線の長さをＬとし、前記直線において周縁から０．３×Ｌの長さ部分に位置する点を結んだ線と、前記周縁との間に形成される帯状部分の少なくとも一部分の上方に位置するように、ＬＥＤ照明装置の全ＬＥＤパッケージの６０％以上の数のＬＥＤパッケージが配置されている植物栽培装置。
【０００９】
2)の栽培領域が平面から見て方形であり、互いに平行な２つの辺の長さをＬとし、前記２つの辺の長さ方向一端から０．３×Ｌの長さ部分に位置する点どうしを結んだ直線と、前記２つの辺の長さ方向一端どうしを結ぶ辺との間に形成される帯状部分の上方、および前記２つの辺の長さ方向他端から０．３×Ｌの長さ部分に位置する点どうしを結んだ直線と、前記２つの辺の長さ方向他端どうしを結ぶ辺との間に形成される帯状部分の上方に、それぞれＬＥＤ照明装置の全ＬＥＤパッケージの３０％以上の数のＬＥＤパッケージが配置されている上記1)記載の植物栽培装置。
【００１０】
3)前記２つの帯状部分のうち一方の帯状部分の上方に配置されているＬＥＤパッケージの数と、同他方の帯状部分の上方に配置されているＬＥＤパッケージの数との合計が、ＬＥＤ照明装置の全ＬＥＤパッケージ数の１００％となっている上記2)記載の植物栽培装置。
【００１１】
4)前記２つの帯状部分のうち一方の帯状部分の上方に配置されているＬＥＤパッケージの数と、同他方の帯状部分の上方に配置されているＬＥＤパッケージの数とが等しくなっている上記2)または3)記載の植物栽培装置。
【００１２】
5)前記帯状部分の長さ方向にのびる１つの直線上に、複数のＬＥＤパッケージが間隔をおいて並べられることによりパッケージ列が構成され、前記２つの帯状部分の上方に、複数のパッケージ列が帯状部分の幅方向に間隔おいて配置されている上記2)〜4)のうちのいずれかに記載の植物栽培装置。
【００１３】
6)前記パッケージ列における帯状部分の長さ方向両端に配置されるＬＥＤパッケージの光が、前記栽培領域における帯状部分の長さ方向両端に届くようになっている上記5)記載の植物栽培装置。
【発明の効果】
【００１４】
上記1)〜6)の植物栽培装置によれば、載置部に載せられる栽培槽の植物の生育に必要な光量子束密度を発するＬＥＤパッケージのみを使用したＬＥＤ照明装置を備えているので、外部電極蛍光ランプとＬＥＤパッケージとが用いられている照明装置を備えた特許文献１記載の植物栽培装置に比べて、消費電力コストを低減しうるとともに、メンテナンス性が向上する。
【００１５】
また、栽培領域の周縁の各点と中心とを結ぶ直線の長さをＬとし、前記直線において周縁から０．３×Ｌの長さ部分に位置する点を結んだ線と、前記周縁との間に形成される帯状部分の少なくとも一部分の上方に位置するように、ＬＥＤ照明装置の全ＬＥＤの６０％以上の数のＬＥＤパッケージが配置されているので、各載置部に載せられる栽培槽の植物の生育に必要な光量子束密度を確保するために必要最少数のＬＥＤパッケージを使用した上で、栽培領域全体に発せられる光量子束密度を均一化することが可能になり、設備コストおよび消費電力コストを低減することができる。
【００１６】
上記2)〜5)の植物栽培装置によれば、栽培領域が平面から見て方形であり、互いに平行な２つの辺の長さをＬとし、前記２つの辺の長さ方向一端から０．３×Ｌの長さ部分に位置する点どうしを結んだ直線と、前記２つの辺の長さ方向一端どうしを結ぶ辺との間に形成される帯状部分の上方、および前記２つの辺の長さ方向一端から０．３×Ｌの長さ部分に位置する点どうしを結んだ直線と、前記２つの辺の長さ方向一端どうしを結ぶ辺との間に形成される帯状部分の上方に、それぞれＬＥＤ照明装置の全ＬＥＤパッケージの３０％以上の数のＬＥＤパッケージが配置されているので、載置部に載せられる栽培槽の植物の生育に必要な光量子束密度を確保するために必要最少数のＬＥＤパッケージを使用した上で、栽培領域全体に発せられる光量子束密度を効果的に均一化することが可能になり、設備コストおよび消費電力コストを低減することができる。
【００１７】
上記6)の植物栽培装置によれば、栽培領域に、ＬＥＤパッケージから発せられる光の届かない範囲が生じることが防止される。
【図面の簡単な説明】
【００１８】
【図１】この発明の植物栽培装置の概略構成を示す正面図である。
【図２】図１の植物栽培装置の栽培領域に対するＬＥＤパッケージの配置例を示す図である。
【図３】この発明の植物栽培装置の効果を実証するために行った実験例および比較実験例の実施方法を示す図である。
【発明を実施するための形態】
【００１９】
以下、この発明の実施形態を、図面を参照して説明する。この実施形態は、この発明による植物栽培装置を、植物の水耕栽培に適用したものである。
【００２０】
以下の説明において、図２および図３の左右を左右といい、図２および図３の下側を前、これと反対側を後というものとする。
【００２１】
また、以下の説明において、「アルミニウム」という用語には、「純アルミニウム」と表現する場合を除いて、純アルミニウムの他にアルミニウム合金を含むものとする。
【００２２】
図１はこの発明の植物栽培装置の全体構成を示し、図２および図３はその要部の構成を示す。
【００２３】
図１において、植物栽培装置(1)は、図示しない支柱により上下方向に間隔をおいて支持された複数の載置部(2)と、各載置部(2)の上方に間隔をおいて配置されたＬＥＤ照明装置(3)と、載置部(2)上に載せられる栽培槽(4)に植えられた野菜などの植物に水分や栄養分を供給する供給装置（図示略）とを備えている。
【００２４】
植物栽培装置(1)は、各載置部(2)の上方で、かつ載置部(2)に載せられる栽培槽(4)に植えられた植物の根と葉との間の高さ位置に栽培領域(5)を有しており、植物は、栽培領域(5)の下側に根が広がるとともに、同上側に葉が存在するように配置されている。この実施形態の水耕栽培の場合、栽培槽(4)の上側はカバー(20)で覆われており、図示は省略したが、植物が、カバー(20)に形成された貫通穴内に配置された支持部材により支持され、植物の根がカバー(20)の下側に広がり、植物の茎がカバー(20)の貫通穴を通してカバー(20)の上方に伸び、葉がカバー(20)の上方に広がっている。そして、カバー(20)の上面に栽培領域(5)が存在している。
【００２５】
ＬＥＤ照明装置(3)は、各載置部(2)に載せられる栽培槽(4)の植物の生育に必要な光量子束密度（以下の説明において、単に光量と称するものとする）を発するＬＥＤパッケージのみを使用している。また、ＬＥＤ照明装置(3)は、上端の載置部(2)を除いては、各載置部(2)の上方に位置する載置部(2)に設けられ、上端の載置部(2)に関しては、ＬＥＤ照明装置(3)は、適当な手段によって設けられている。そして、載置部(2)上に載せられた栽培槽(4)の野菜などの植物に、ＬＥＤ照明装置(1)によりＬＥＤの光が照射されるとともに水分や栄養分が供給され、さらに植物栽培装置(1)が設置された室内の温度が管理されることにより、植物の生育が促されて効率的に収穫される。
【００２６】
図２に示すように、植物栽培装置(1)の栽培領域(5)は、平面から見て左右方向に長い長方形である。栽培領域(5)の互いに平行な２つの左右両側辺(5a)の長さをＬとし、左右両側辺(5a)の長さ方向一端（前端）から０．３×Ｌの長さ部分に位置する点(PA)どうしを結んだ直線(6)と、左右両側辺(5a)の長さ方向一端（前端）どうしを結ぶ前側辺(5b)との間に形成される前側帯状部分(7)の上方、および左右両側辺(5a)の長さ方向他端（後端）から０．３×Ｌの長さ部分に位置する点(PB)どうしを結んだ直線(8)と、左右両側辺(5a)の長さ方向他端（後端）どうしを結ぶ後側辺(5c)との間に形成される後側帯状部分(9)の上方に、それぞれＬＥＤ照明装置(3)の全ＬＥＤパッケージの３０％以上の数のＬＥＤパッケージが配置されている。
【００２７】
換言すれば、栽培領域(5)の周縁の各点と中心とを結ぶ直線の長さをＬとし、前記直線において周縁から０．３×Ｌの長さ部分に位置する点を結んだ線と、前記周縁との間に形成される帯状部分の少なくとも一部分、すなわち前側帯状部分(7)および後側帯状部分(9)の上方に位置するように、両帯状部分(7)(9)を合わせてＬＥＤ照明装置(3)の全ＬＥＤパッケージの６０％以上の数のＬＥＤパッケージが配置されている。
【００２８】
ここでは、図３に示すように、複数のＬＥＤパッケージ(12)が、両帯状部分(7)(9)の長さ方向（左右方向）にのびる直線上に間隔をおいて並べられることにより構成されたパッケージ列(11)が、両帯状部分(7)(9)の上方に、両帯状部分(7)(9)の幅方向（前後方向）に間隔おいて配置されている。各パッケージ列(11)には赤色ＬＥＤチップが実装されたＬＥＤパッケージ(12)と、青色ＬＥＤチップが実装されたＬＥＤパッケージ(12)とが、たとえば隣り合う２つの青色ＬＥＤパッケージ(12)間に同数の赤色ＬＥＤパッケージ(12)が配置されている。すべてのパッケージ列(11)が、透光性を有するカバー(3a)（図１参照）により覆われている。図示は省略したが、各パッケージ列(11)のすべてのＬＥＤパッケージ(12)は１つの基盤上に装着されていてもよく、あるいは複数のＬＥＤパッケージ(12)が装着された複数の基盤が左右方向に並んで配置されていてもよい。公知のように、ＬＥＤパッケージ(12)は、１または複数のＬＥＤチップが実装されている。
【００２９】
なお、複数のＬＥＤパッケージ(12)が基盤上に装着された状態で左右方向に長い直管型ＬＥＤ灯具に組み込まれ、複数の直管型ＬＥＤ灯具からなるＬＥＤ照明装置が各載置部(2)の上方に配置されていてもよい。さらに、１または複数のＬＥＤパッケージ(12)を備えた他の形式のＬＥＤランプが、複数個を適切に並べられることによってＬＥＤ照明装置が構成され、当該ＬＥＤ照明装置が各載置部(2)の上方に配置されていてもよい。
【００３０】
ここで、前後２つの帯状部分(7)(9)のうち一方の帯状部分の上方に配置されているＬＥＤパッケージ(12)の数と、同他方の帯状部分の上方に配置されているＬＥＤパッケージ(12)の数との合計は、ＬＥＤ照明装置(3)の全ＬＥＤパッケージ(12)の数の１００％となっていること、および／または前後２つの帯状部分(7)(9)のうち一方の帯状部分の上方に配置されているＬＥＤパッケージ(12)の数と、同他方の帯状部分の上方に配置されているＬＥＤパッケージ(12)の数とが等しくなっていることが好ましい。さらに、２つの帯状部分(7)(9)の長さ方向両端（左右両端）に配置されるＬＥＤパッケージ(12)の光が、栽培領域(5)の２つの帯状部分(7)(9)の長さ方向両端に届くようになっていることが好ましい。
【００３１】
なお、パッケージ列(11)は、前後２つの帯状部分(7)(9)の前後方向の全幅にわたって配置されている必要はなく、その幅方向の一部分のみに配置されていてもよい。たとえば、前側帯状部分(7)の前側辺(5b)から１／３の幅を有する部分のみ、または２／３の幅を有する部分のみに配置されていてもよい。また、後側帯状部分(9)の後側辺(5c)から１／３の幅を有する部分のみ。または２／３の幅を有する部分のみに配置されていてもよい。さらに、栽培領域(5)における２つの直線(6)(8)間に形成される中間帯状部分(13)、すなわち前側帯状部分(7)と後側帯状部分(9)との間の中間帯状部分(13)の上方には、パッケージ列(11)が配置されていてもよく、あるいは全く配置されていなくてもよい。中間帯状部分(13)の上方にパッケージ列(11)が配置される場合には、当然のことながら、中間帯状部分(13)の上方に配置されるパッケージ列(11)が有するＬＥＤパッケージ(12)の数は、ＬＥＤ照明装置(3)の全ＬＥＤパッケージ(12)の数の４０％未満となる。
【００３２】
以下、この発明の植物栽培装置(1)の効果を実証するために行った実験例について、比較実験例とともに説明する。
【００３３】
実験例および比較実験例
１つの栽培領域(5)の左右両側辺(5a)の前後方向の長さＬ：６００mm、前後両側辺(5b)(5c)の左右方向の長さＬ１：１３００mmとした。
【００３４】
また、１つの赤色ＬＥＤチップ（昭和電工社製、ＨＲＰ−３５０Ｆ）が実装された３６個の赤色ＬＥＤパッケージ(12)と、１つの青色ＬＥＤチップ（昭和電工社製、ＧＨ２ＧＲ４５０Ｇ）が実装された１２個の青色ＬＥＤパッケージ(12)とが、青色ＬＥＤパッケージ(12)が等間隔、すなわち隣り合う青色ＬＥＤパッケージ(12)間に３つの赤色ＬＥＤパッケージ(12)が位置するように１直線上に並べられているパッケージ列(11)を２０列用意し、これら２０列のパッケージ列(11)によってＬＥＤ照明装置(3)を構成した。赤色ＬＥＤパッケージ(12)および青色ＬＥＤパッケージ(12)は、左右方向に長い長方形であり、左右両側辺(5a)の前後方向の長さが３mmであるとともに、前後両側辺の左右方向の長さが４mmであり、さらに各パッケージ列(11)において、隣り合うＬＥＤパッケージ(12)の中心間の距離であるピッチは２７mmである。
【００３５】
そして、栽培領域(5)の前後両帯状部分(7)(9)の上方２０cmの高さ位置に適当数のパッケージ列(11)を前後方向に等間隔をおいて配置し、さらに中間帯状部分(13)の上方２０cmの高さ位置に適当数のパッケージ列(11)を前後方向に等間隔をおいて配置し、または配置しないことによって、栽培領域(5)の前後両帯状部分(7)(9)および中間帯状部分(13)の上方に配置されるＬＥＤパッケージ(12)の数を種々変更した。
【００３６】
実験例１〜４および比較実験例１においては、栽培領域(5)の前後両帯状部分(7)(9)の前後方向の幅全体にパッケージ列(11)を前後方向に等間隔をおいて配置した（配列条件１）。実験例５〜７および比較実験例２〜３においては、栽培領域(5)の前側帯状部分(7)の前側辺(5b)から２／３の幅を有する部分のみ、および後側帯状部分(9)の後側辺(5c)から２／３の幅を有する部分のみにパッケージ列(11)を前後方向に等間隔をおいて配置した（配列条件２）。実験例８〜１０および比較実験例４〜５においては、栽培領域(5)の前側帯状部分(7)の前側辺(5b)から１／３の幅を有する部分のみ、および後側帯状部分(9)の後側辺(5c)から１／３の幅を有する部分のみにパッケージ列(11)を前後方向に等間隔をおいて配置した（配列条件３）。
【００３７】
なお、実験例５〜１０および比較実験例２〜５においては、前側帯状部分(7)と中間帯状部分(13)との間、および後側帯状部分(9)と中間帯状部分(13)との間に、それぞれ上方にパッケージ列(11)が配置されない部分が存在することになる。
【００３８】
このとき、パッケージ列(11)を、各帯状部分(7)(9)(13)の上方において前後方向に隣り合うものどうし、および前後両端のパッケージ列(11)と各帯状部分(7)(9)(13)の前後両側縁との上方に配置されるパッケージ列(11)のうち前後両端のパッケージ列(11)が、各帯状部分の前後両側縁の真上よりも内側に位置するように配置した。また、各パッケージ列(11)の左右両端のＬＥＤパッケージ(12)の中心と実験領域の左右両側辺(5a)との距離を１５．５mmとしておいた。栽培領域(5)の前後両帯状部分(7)(9)および中間帯状部分(13)の上方に配置されるパッケージ列(11)の数、およびＬＥＤパッケージ(12)の数を表１に示す。
【表１】
2014027922.tif 000003
【００３９】
表１において、ＬＥＤパッケージ数率は、すべてのＬＥＤパッケージ(12)の数に対する各帯状部分(7)(9)(13)に存在するＬＥＤパッケージ(12)の数の比率を表す。
【００４０】
この状態で、ＬＥＤ照明装置(3)により栽培領域(5)を照射し、図２に示す９点(P1〜P9)、すなわち栽培領域(5)の前側辺(5b)の左右両端の点(P1)(P3)および左右方向の中心の点(P2)、左右両側辺(5a)の前後方向の中心の点(P4)(P6)、全体の中心の点(P5)、ならびに後側辺(5c)の左右両端の点(P7)(P9)点および左右方向の中心の点(P8)の光量を測定して、９点(P1〜P9)の平均光量、最大光量と最小光量との光量差、および光量差を平均光量で除した光量差率を求めた。その結果を表２に示す。
【表２】
2014027922.tif 000004
【００４１】
表２に示す結果から、栽培領域(5)の前側帯状部分(7)および後側帯状部分(9)の上方に、それぞれＬＥＤ照明装置(3)のすべてのＬＥＤパッケージ(12)の数の３０％以上の数のＬＥＤパッケージ(12)が配置されている実験例１〜１０においては、前記光量差率が５０％以下となっており、栽培領域(5)全体に発せられる光量が効果的に均一化されている。これに対し、比較実験例１〜５においては、前記光量差率が９０％を超えており、栽培領域(5)全体に発せられる光量が不均一になっている。
【００４２】
上記実施形態においては、植物栽培装置は、植物の水耕栽培に適用されているが、これに限定されるものではなく、植物の土耕栽培にも適用可能である。この場合、植物は栽培槽に入れられた土に植えられ、栽培槽の土の表面がカバーにより覆われ、カバーの上面に栽培領域が設けられる。また、栽培槽の土の表面に栽培領域が設けられることもある。
【産業上の利用可能性】
【００４３】
この発明による植物栽培装置は、ＬＥＤ照明装置を人工光源とする植物工場、野菜工場、育苗装置などにおいて好適に用いられる
【符号の説明】
【００４４】
(1)：植物栽培装置
(2)：載置部
(3)：ＬＥＤ照明装置
(4)：載置槽
(5)：栽培領域
(5a)：左右両側辺
(5b)：前側辺
(5c)：後側辺
(6)(8)：直線
(7)：前側帯状部分
(9)：後側帯状部分
(11)：パッケージ列
(12)：ＬＥＤパッケージ
(13)：中間帯状部分
【図１】
2014027922.tif 000005
【図２】
2014027922.tif 000006
【図３】
2014027922.tif 000007